(57)【要約】【課題】簡素な構成で被写体を複数の角度から撮影することができる撮影システムを提供する。【解決手段】撮影システム１は、回転テーブル１２の側周面１３には、回転テーブル１２の回転軸周りに沿って１個の撮影開始用図柄部２１と複数個のシャッター用図柄部２２，２３とが等間隔で設けられており、スマートフォン３には、表示画面部３２にあらかじめ定められた指定領域３２ａに撮影開始用図柄部２１が位置したときに撮影が実行され撮影状態が開始し、さらに指定領域３２ａにシャッター用図柄部２２，２３が位置する度に撮影が実行される。【選択図】図１
2019087830.tif 000002
【特許請求の範囲】
【請求項１】
鉛直方向の回転軸を中心に回転する回転テーブルを有しており、前記回転テーブル上に被写体が載置される回転台と、
前記被写体と前記回転テーブルとに向けられる撮影用カメラ部、及び、前記撮影用カメラ部を介して視認される前記被写体と前記回転テーブルとの映像を表示する表示画面部が搭載されており、前記回転台との相対位置が固定されているモバイルデバイスと、
前記モバイルデバイスで撮影した前記被写体と前記回転テーブルとを画像データとして記憶保持する画像記憶保持手段と、
を備える撮影システムであって、
少なくとも前記回転台と前記モバイルデバイスとは個別に備えられるものであり、
前記回転テーブルの外周面には、当該回転テーブルの前記回転軸周りに沿って複数の図柄部が配置されており、
前記複数の図柄部は、少なくとも、単一の撮影開始用図柄部と複数のシャッター用図柄部とで構成されており、かつ、前記撮影開始用図柄部と前記シャッター用図柄部とは図柄内容が互いに異ならせてあり、前記シャッター用図柄部同士は互いに同じ図柄内容とされており、
前記モバイルデバイスは、
前記表示画面部においてあらかじめ定められた所定位置に位置した前記撮影開始用図柄部の図柄内容と前記シャッター用図柄部の図柄内容とを個別に認識する図柄認識手段、
並びに、
前記回転テーブルが回転している状態で、前記図柄認識手段が前記撮影開始用図柄部の図柄内容を認識した場合に前記撮影用カメラ部に撮影を実行させて撮影状態を開始する撮影開始制御内容、及び、前記撮影状態において前記図柄認識手段が前記シャッター用図柄部の図柄内容を認識する度に前記撮影用カメラ部に撮影を実行させる連続撮影制御内容、を実行するシャッター実行手段
を具備している
ことを特徴とする撮影システム。
【請求項２】
前記シャッター実行手段が、
前記撮影状態において前記図柄認識手段が前記撮影開始用図柄部の図柄内容を再度認識した場合に前記撮影状態を終了する撮影終了制御内容を実行するものである
請求項１記載の撮影システム。
【請求項３】
請求項１又は請求項２に記載の撮影システムに用いられる前記モバイルデバイスであって、
前記モバイルデバイスは、スマートフォンである
ことを特徴とするモバイルデバイス。
【請求項４】
請求項１又は請求項２に記載された撮影システムに用いられる回転台。
【発明の詳細な説明】
【技術分野】
【０００１】
本発明は、被写体を複数の角度から撮影するための撮影システム、当該撮影システムに使用されるモバイルデバイス、及び回転台に関する。
【背景技術】
【０００２】
近年、インターネットの普及に伴い、インターネットを含む種々のネットワーク通信網を用いて個人間で商品取引が行われている。こうした取引では、該当するサイト上において、商品を複数の角度から撮影した画像を表示させて当該商品を多面的に閲覧可能としていることはよく知られている。
【０００３】
例えば特許文献１，２には、回転台に被写体を置き、回転する回転台に置かれた被写体をカメラで撮影する手法が既に開示されている。
【先行技術文献】
【特許文献】
【０００４】
【特許文献１】特開２０１５−２１２７８２号公報
【特許文献２】特開２０１６−４２４１号公報
【発明の概要】
【発明が解決しようとする課題】
【０００５】
しかしながら、特許文献１，２に開示された構成は、カメラと回転台とを連動させるような複雑な制御内容を具備する構成であるため、装置の制御システムが極めて複雑化してしまい、結果的に装置にかかるコストが高騰して個人で所有するには困難であるという問題があった。
【０００６】
そこで本発明は、個人でも手軽に、被写体を複数の角度から撮影することができる撮影システム、当該撮影システムに使用されるモバイルデバイス、及び当該撮影システムに使用される回転台を提供することを目的とする。
【課題を解決するための手段】
【０００７】
本発明は、鉛直方向の回転軸を中心に回転する回転テーブルを有しており、前記回転テーブル上に被写体が載置される回転台と、前記被写体と前記回転テーブルとに向けられる撮影用カメラ部、及び、前記撮影用カメラ部を介して視認される前記被写体と前記回転テーブルとの映像を表示する表示画面部が搭載されており、前記回転台との相対位置が固定されているモバイルデバイスと、前記モバイルデバイスで撮影した前記被写体と前記回転テーブルとを画像データとして記憶保持する画像記憶保持手段と、を備える撮影システムであって、少なくとも前記回転台と前記モバイルデバイスとは個別に備えられるものであり、前記回転テーブルの外周面には、当該回転テーブルの前記回転軸周りに沿って複数の図柄部が配置されており、前記複数の図柄部は、少なくとも、単一の撮影開始用図柄部と複数のシャッター用図柄部とで構成されており、かつ、前記撮影開始用図柄部と前記シャッター用図柄部とは図柄内容が互いに異ならせてあり、前記シャッター用図柄部同士は互いに同じ図柄内容とされており、前記モバイルデバイスは、前記表示画面部においてあらかじめ定められた所定位置に位置した前記撮影開始用図柄部の図柄内容と前記シャッター用図柄部の図柄内容とを個別に認識する図柄認識手段、並びに、前記回転テーブルが回転している状態で、前記図柄認識手段が前記撮影開始用図柄部の図柄内容を認識した場合に前記撮影用カメラ部に撮影を実行させて撮影状態を開始する撮影開始制御内容、及び、前記撮影状態において前記図柄認識手段が前記シャッター用図柄部の図柄内容を認識する度に前記撮影用カメラ部に撮影を実行させる連続撮影制御内容、を実行するシャッター実行手段を具備していることを特徴とする撮影システムである。
【０００８】
かかる構成にあっては、前記回転台と前記モバイルデバイスを所有していれば個人でも手軽に被写体を複数の角度から撮影することができる。ここで、前記回転台は前記モバイルデバイスと一体化している必要はなく、回転テーブルもモーター等を用いて自動で回転させたり、回転角度をセンサで検出したりする必要がない。したがって、回転角度の制御や回転速度の制御が不要となって、コストが高騰することがなく、安価に撮影システムを構築し使用することができる。なお、被写体としては様々なものが含まれることは勿論であり、例えば人物も含まれる。
【０００９】
なお、前記モバイルデバイスが、前記回転台との相対位置が固定されている、とは、何等かの固定部材を用いて固定されていることに限らず、例えば前記モバイルデバイスを使用者が手で保持して前記回転台との相対位置が動かないように支持していることも含む。また、画像記憶保持手段は、モバイルデバイス自体に搭載されていてもよいし、ネットワーク上のクラウドが利用されてもよく、またこれらに限定されることもない。
【００１０】
また、前記シャッター実行手段が、前記撮影状態において前記図柄認識手段が前記撮影開始用図柄部の図柄内容を再度認識した場合に前記撮影状態を終了する撮影終了制御内容を実行するものである構成が提案される。
【００１１】
かかる構成とすることにより、被写体を同じ方向から重複して撮影してしまうことがなくなり、画像データや撮影時間に無駄が生じることを防止することができる。
【００１２】
また本発明は、前記撮影システムに用いられる前記モバイルデバイスであって、前記モバイルデバイスは、スマートフォンであることを特徴とするモバイルデバイスである。
【００１３】
なお、前記撮影用カメラ部と、前記撮影用カメラ部を介して視認される前記被写体と前記回転テーブルとの映像を表示する表示画面部と、撮影した画像を記憶保持する画像記憶保持手段とが搭載されたスマートフォンは、個人が所有するものとして既に多く市場に出回っているため、前記撮影システムの構築にかかるコストを低く抑えることができる。
【００１４】
また本発明は、前記撮影システムに用いられる回転台である。
【００１５】
なお、前記回転台は、回転テーブルがモーター等によって自動で定速回転するものである必要がなく、例えば使用者が手で回転テーブルを回転させるような簡易構造であっても構わない。このため、撮影システムを構築するコストが高騰することがない。
【発明の効果】
【００１６】
本発明の撮影システムは、個人でも手軽に、被写体を複数の角度から撮影することができる効果がある。
【００１７】
また、本発明のモバイルデバイスは、個人でも手軽に、被写体を複数の角度から撮影することができる効果がある。
【００１８】
また、本発明の回転台は、個人でも手軽に、被写体を複数の角度から撮影することができる効果がある。
【図面の簡単な説明】
【００１９】
【図１】実施例にかかる撮影システムの概要を説明する説明図である。
【図２】実施例にかかる回転テーブルの側周面に配置された図柄列の展開図である。
【図３】実施例にかかるスマートフォンのブロック回路図である。
【図４】実施例にかかるスマートフォンの表示画面部を示した説明図である。
【図５】実施例にかかる被写体の撮影手順を示した説明図である。
【図６】実施例にかかる画像データを用いた疑似３Ｄ表示の出力形態を示す説明図である。
【図７】実施例にかかる撮影システムにおける制御処理の概要を示すフローチャート図である。
【図８】他の実施例にかかる回転台を示す説明図である。
【発明を実施するための形態】
【００２０】
以下、本発明の撮影システムを具体化した実施例を詳細に説明する。
【００２１】
なお、本発明は、下記に示す実施例に限定されることはなく、適宜設計変更が可能である。
【００２２】
図１に示すように、撮影システム１は、回転台２と、回転台２と個別に用意されたモバイルデバイスとしてのスマートフォン３と、を備えている。
【００２３】
まず、回転台２について説明する。
回転台２は、所定の支持面に載置される基台１１と、基台１１の上部に軸支された円盤状の回転テーブル１２と、を備えている。ここで、回転テーブル１２は、鉛直方向の回転軸を中心にして左右方向に回転自在となっている。なお、回転テーブル１２は、電池等の駆動源によって自動回転する構成であってもよいし、手動で回転する構成であってもよい。
【００２４】
また、回転テーブル１２の側周面１３には、複数の図柄部２０が当該回転テーブル１２の回転軸周りに沿って一列状に等間隔で設けられている。具体的には、図２に示すように、ハートマークの図柄内容である撮影開始用図柄部２１が１つ配置されていると共に、ダイヤマークの図柄内容である第１シャッター用図柄部２２と円マークの図柄内容である第２シャッター用図柄部２３とが交互に１１個配置されている。
【００２５】
さらに、回転テーブル１２の上面は、被写体Ｘが載置可能な水平面とされている。なお、被写体Ｘは、当該被写体Ｘの正面とする面に撮影開始用図柄部２１が位置するように載置される。
【００２６】
次に、スマートフォン３について図１，図３に従って説明する。
スマートフォン３は、カメラレンズを具備する撮影用カメラ部３１を備えている。そして、撮影用カメラ部３１を介して視認される被写体Ｘと回転テーブル１２は、スマートフォン３に設けられた表示画面部３２（図４参照）に、映像として表示される。また、利用者が表示画面部３２を見ながら撮影用カメラ部３１で撮影を実行すると、撮影された映像の画像データが例えばスマートフォン３内の画像記憶保持手段３３に記憶保持される。なお、画像記憶保持手段３３はいわゆるクラウドを利用してもよい。
【００２７】
さらに詳述すると、スマートフォン３は、図３に示すように、例えばＣＰＵで構成される制御部３５を有しており、さらに制御部３５には、記憶装置（ＲＡＭ及びＲＯＭ）が接続されている。なお、上述の画像記憶保持手段３３は記憶装置ＲＡＭによって構成される。
【００２８】
また、制御部３５には、公知の画像認識用アプリケーションソフトがインストールされており、表示画面部３２上に表示される撮影開始用図柄部２１と、第１シャッター用図柄部２２と、第２シャッター用図柄部２３とを個別に認識する図柄認識手段３７が備えられている。具体的には、表示画面部３２上のほぼ中央位置（所定位置）に指定領域３２ａが形成されており、指定領域３２ａに図柄部２０が位置すると、当該図柄部２０が撮影開始用図柄部２１であるのか、いずれのシャッター用図柄部２２，２３であるのかが認識可能となっている。
【００２９】
また、制御部３５には、後述する撮影開始制御内容と、連続撮影制御内容と、撮影終了制御内容と、を実行するシャッター実行手段３８が備えられている。なお、シャッター実行手段３８の制御内容については、後で詳述する。
【００３０】
次に、撮影システム１を用いた被写体Ｘの撮影手順を詳述する。
まず、図１に示したように、回転台２の回転テーブル１２上に被写体Ｘを載置した状態で、スマートフォン３の撮影用カメラ部３１を回転台２及び被写体Ｘに向ける。
【００３１】
このとき、スマートフォン３の表示画面部３２には、図４に示すように、被写体Ｘの正面と回転テーブル１２の側周面に配置された図柄部２０を含む回転台２が表示される。
【００３２】
ここで、表示画面部３２の指定領域３２ａに図柄部２０が位置するようにスマートフォン３の位置を調節すると、被写体Ｘ全体が適正に表示画面部３２に配置される。なお、被写体Ｘを適正に表示する際には撮影用カメラ部３１のズーム機能等を用いてもよい。
【００３３】
そしてかかる状態で、回転台２の回転テーブル１２を一方向に回転させる。そうすると、指定領域３２ａにおいて図柄部２０の図柄内容が順次変化していく。このとき、指定領域３２ａに位置する図柄部２０の図柄内容は図柄認識手段３７によって個別に認識される。
【００３４】
そして、図５（ａ）に示すように、指定領域３２ａに撮影開始用図柄部２１が位置すると、シャッター実行手段３８は、シャッターをきると共に撮影を実行する状態である撮影状態αを開始する撮影開始制御内容を実行する。これと共に、撮影した画像データは画像記憶保持手段３３に記憶保持される。
【００３５】
そして図５（ｂ）に示すように、撮影状態αにおいて、指定領域３２ａにシャッター用図柄部２２，２３が順次位置すると、シャッター実行手段３８は、そのたびに撮影を繰り返し実行する連続撮影制御内容を実行する。これにより、被写体Ｘを側方から見た画像データが、図柄部２０の間隔を基準として複数保存（記憶保持）されていく。
【００３６】
その後、図５（ｃ）に示すように、回転テーブル１２が一周して指定領域３２ａに撮影開始用図柄部２１が再度位置すると、シャッター実行手段３８は、撮影状態αを終了する撮影終了制御内容を実行する。
【００３７】
なお、画像記憶保持手段３３に記憶保持された１２枚の画像は、予め定められた方式によってデータ処理された上で、例えば図６に示すように、パソコン等の表示画面４０において、マウスのドラッグやタッチパネル上で指を左右に動かす等の操作に伴って順次角度を変えながらいずれかの向きの画像が表示されて擬似的にいわゆる３Ｄ表示される。
【００３８】
ここで、再度、撮影システム１における制御処理の概要を説明する。
図７に示すように、メイン処理フローでは、撮影開始マークとしての撮影開始用図柄部２１を認識するまで図柄部を認識する処理を繰り返し実行する。そして、撮影開始用図柄部２１が認識されると、次に、撮影終了マークを認識するまで撮影処理を繰り返し実行する。なお、本実施例において撮影終了マークは、撮影開始用図柄部２１が兼用しているが、別のマークを設けてもよい。
【００３９】
また、撮影開始用図柄部認識フローでは、水平座標上で最も中央に表示された図柄部２０を認識した後、直前に認識成功した図柄部２０と図柄内容が同一かどうかを判定する。そして、同一であると判定した場合に図柄部２０の認識が失敗したとして処理を継続する。一方、同一でないと判定した場合に図柄部２０の認識に成功したとして処理を継続する。かかる構成とすることにより、誤認識を防止して精度良く第１シャッター用図柄部２２と第２シャッター用図柄部２３とを認識することが可能となる。
【００４０】
さらに、撮影フローでは、図柄部２０の認識に成功すると画像を保存する処理を実行する。一方、図柄部２０の認識に失敗した場合には、画像保存処理を実行しない。
【００４１】
上記した実施例において、各部の寸法形状は適宜自由に選択可能である。
【００４２】
また、各図柄部２０の隣同士の間隔は、等間隔であってもよいし、等間隔でなくてもよい。
【００４３】
また、図８に示したように、回転台５０における回転テーブル５２の上面５３に図柄部２０を配置するようにしてもよい。また、図柄部２０として、撮影開始用図柄部２１と、一種のシャッター用図柄部２２とを配置するようにしてもよい。
【００４４】
また、図柄部２０は、撮影開始用図柄部２１及びシャッター用図柄部２２，２３のみによって構成される必要はなく、上述のように撮影開始用図柄部２１に隣接して撮影終了用図柄部を別途配置し、当該撮影終了用図柄部を図柄認識手段３７が認識したときに撮影終了制御内容を実行される構成としても構わないし、撮影制御に関連がない図柄が付されていても構わない。
【００４５】
また、モバイルデバイスはスマートフォンに限らず、デジタルカメラ、あるいはタブレット端末等であっても構わない。
【００４６】
また、図柄認識手段３７やシャッター実行手段３８は、例えば制御部３５によって実行されるプログラムで構成することができ、図柄部２０を認識する構成や撮影用カメラ部３１を制御する構成は特に限定されない。
【００４７】
また、被写体Ｘは、人体であってもよいし、その他の重量物であってもよい。
【符号の説明】
【００４８】
１            撮影システム
２，５０      回転台
３            スマートフォン（モバイルデバイス）
１２，５２    回転テーブル
２０          図柄部
２１          撮影開始用図柄部
２２，２３    シャッター用図柄部
３１          撮影用カメラ部
３２          表示画面部
３３          画像記憶保持手段
３７          図柄認識手段
３８          シャッター実行手段
【図１】
2019087830.tif 000003
【図２】
2019087830.tif 000004
【図３】
2019087830.tif 000005
【図４】
2019087830.tif 000006
【図５】
2019087830.tif 000007
【図６】
2019087830.tif 000008
【図７】
2019087830.tif 000009
【図８】
2019087830.tif 000010